(57)【特許請求の範囲】
【請求項１】
建物の外壁に形成された開口部下端に設けられたサッシ取付部材と、
前記サッシ取付部材上に取り付けられたサッシと、
前記サッシの下方に位置し、前記サッシ取付部材の屋外側端部に載置された排水プレートとを備え、
前記排水プレートの裏面には、前記サッシ取付部材上に浸入した水を屋外方向に導く溝が形成されている、サッシの排水構造。
【請求項２】
前記サッシ取付部材は、屋内側に位置する上段面と、前記上段面よりも下方かつ屋外側に位置し、前記排水プレートが載置される下段面と、前記下段面と前記上段面とを連結する立壁面とを有し、
前記排水プレートは、前記サッシ取付部材の前記下段面に当接する横板と、前記横板に連結され、前記サッシ取付部材の前記立壁面に当接する縦板とを含む、請求項１に記載のサッシの排水構造。
【請求項３】
前記縦板は、裏面側に上下方向に貫通する第１溝部を有し、前記横板は、前記縦板の前記第１溝部につながって、内外方向に貫通する第２溝部を有する、請求項２に記載のサッシの排水構造。
【請求項４】
前記排水プレートの前記縦板と前記横板とが交わる角部は、曲面状に形成されている、請求項２または３に記載のサッシの排水構造。
【請求項５】
前記外壁はバルコニーに面しており、
前記排水プレートは前記バルコニーの床面よりも高い位置に設けられている、請求項１〜４のいずれかに記載のサッシの排水構造。
【請求項６】
前記サッシの下側端部と前記排水プレートとの間にシーリングが施されている、請求項１〜５のいずれかに記載のサッシの排水構造。
【請求項７】
前記排水プレートは、前記サッシ取付部材の左右方向両端部に配置されている、請求項１〜６のいずれかに記載のサッシの排水構造。
【発明の詳細な説明】
【技術分野】
【０００１】
この発明は、サッシの排水構造に関する。
【背景技術】
【０００２】
一般的に、バルコニーの立上り部に設けられているサッシの下端には、屋外からの雨水の浸入を防ぐためにシーリングが施されている。このようなサッシ構造として、特開２０１２−３１６２８号公報（特許文献１）が知られている。
【０００３】
バルコニー以外のサッシの排水構造としては、特開２０１３−１２９９５７号公報（特許文献２）が知られている。特許文献２には、開口枠下の漏水や結露水等の水を外部に排水する排水部と、開口枠の下側の外装材を上端部から覆う覆い部とを有するサッシの排水構造が開示されている。
【先行技術文献】
【特許文献】
【０００４】
【特許文献１】特開２０１２−３１６２８号公報
【特許文献２】特開２０１３−１２９９５７号公報
【発明の概要】
【発明が解決しようとする課題】
【０００５】
特許文献１のサッシ構造では、立上り部の屋外側端部とサッシとの間は、シーリングで塞がれている。そのため、たとえば、サッシの横枠などからサッシ下部に雨水が浸入してきた場合には、バルコニーに雨水をうまく排水することができなかった。
【０００６】
特許文献２には、バルコニーではなく、通常の窓におけるサッシの排水構造が開示されている。しかしながら、排水部を有する第１ピースの構造は複雑である。また、排水部の取り付け位置や構造は、バルコニーの立上り部には適用できない。
【０００７】
本発明は、上記のような課題を解決するためになされたものであって、その目的は簡易な構造でありながら、サッシ下部への漏水を効率よく外部に排水することができるサッシの排水構造を提供することを目的とする。
【課題を解決するための手段】
【０００８】
本発明のある局面によるサッシの排水構造は、建物の外壁に形成された開口部下端に設けられたサッシ取付部材と、サッシ取付部材上に取り付けられたサッシと、サッシの下方に位置し、サッシ取付部材の屋外側端部に載置された排水プレートとを備える。排水プレートの裏面には、サッシ取付部材と上に浸入した水を屋外方向に導く溝が形成されている。
【０００９】
好ましくは、サッシ取付部材は、屋内側に位置する上段面と、上段面よりも下方かつ屋外側に位置し、排水プレートが載置される下段面と、下段面と上段面とを連結する立壁面とを有する。排水プレートは、サッシ取付部材の下段面に当接する横板と、横板に連結され、サッシ取付部材の立壁面に当接する縦板とを含む。
【００１０】
好ましくは、縦板は、裏面側に上下方向に貫通する第１溝部を有し、横板は、縦板の第１溝部につながって、内外方向に貫通する第２溝部を有する。
【００１１】
好ましくは、排水プレートの縦板と横板とが交わる角部は、曲面状に形成されている。
【００１２】
好ましくは、外壁はバルコニーに面しており、排水プレートはバルコニーの床面よりも高い位置に設けられている。
【００１３】
好ましくは、サッシの下側端部と排水プレートとの間にシーリングが施されている。
【００１４】
好ましくは、排水プレートは、サッシ取付部材の左右方向両端部に配置されている。
【発明の効果】
【００１５】
本発明によれば、簡易な構造でありながら、サッシ下部への漏水を効率よく外部に排水することができるサッシの排水構造を提供することができる。
【図面の簡単な説明】
【００１６】
【図１】本発明の実施の形態１に係るサッシの排水構造において、排水経路を示す模式図である。
【図２】本発明の実施の形態１に係るサッシの排水構造の断面図である。
【図３】図２の一部分を拡大して示す断面図である。
【図４】本発明の実施の形態１におけるサッシの排水構造において、サッシを取り外して示す斜視図である。
【図５】図４の一部分を拡大して示す斜視図である。
【図６】本発明の実施の形態１における排水プレートの斜視図である。
【図７】本発明の実施の形態１における排水プレートの裏面図である。
【図８】本発明の実施の形態２におけるサッシの排水構造の断面図である。
【図９】本発明の実施の形態２におけるサッシの排水構造において、サッシを取り外して示す斜視図である。
【図１０】本発明の実施の形態２における排水プレートの斜視図である。
【図１１】本発明の実施の形態２における排水プレートの側面図である。
【図１２】バルコニーに面したサッシ下部への漏水経路の典型例を示す模式図である。
【発明を実施するための形態】
【００１７】
本発明の実施の形態について図面を参照しながら詳細に説明する。なお、図中同一または相当部分には同一符号を付してその説明は繰り返さない。
【００１８】
＜実施の形態１＞
本発明の実施の形態では、バルコニーに面した外壁に設けられたサッシの排水構造について説明する。排水構造の説明に先立ち、サッシ下部への漏水経路の典型例について説明する。
【００１９】
図１２は、バルコニーに面したサッシ下部への漏水経路の典型例を示す模式図である。
図１２を参照して、バルコニー６０に面した外壁５０の開口部には、サッシ２０が固定されている。サッシ２０は、サッシ取付部材１０上に取り付けられている。一般的には、サッシ取付部材１０の屋外側端部とサッシ２０（２１）との隙間は、シーリング４０で塞がれている。
【００２０】
外壁５０は、外壁表面での一次止水に加え、外壁５０の中にも二次止水を施す二重防水構造を有している。二重防水構造は、一次止水を通り越して外壁内に浸入した雨水を屋外に排水する構造である。一次止水を突破した雨水は、外壁５０下端に設けられた水切り５１により屋外、すなわちバルコニー６０に排出される。
【００２１】
しかし、サッシ２０の下枠２１が水切り５１よりも下方に設けられるような場合、まれに、水切り５１から排出されるべき雨水が、水切り５１から排出されずに、サッシ２０の縦枠内に浸入する。この場合、図１２に図示するような一般的なサッシ取付構造では、浸入した雨水（漏水）はシーリング４０で排水できず、サッシ下部に留まってしまう。そうすると、漏水の凍結や周囲の部材の劣化のおそれがある。
【００２２】
これに対し、本実施の形態では、図１に示されるように、サッシ２０の下枠２１の下方に、部分的に排水プレート３０を設けることで、雨水は、バルコニー６０の床面６１に排出される。以下に、排水プレート３０を有するサッシの排水構造１について、詳細に説明する。
【００２３】
はじめに、本実施の形態に係るサッシの排水構造１の概要について説明する。図１は、本発明の実施の形態１に係るサッシの排水構造１において、バルコニー６０のサッシ下部へ浸水してきた水の排水経路を示す模式図である。図２は、サッシの排水構造１を示す断面図であり、図３は、図２の一部分を拡大して示す断面図である。本実施の形態では、図１，４において矢印Ａ１で示す、外壁５０の横幅方向を左右方向ともいう。本実施の形態においても、サッシ２０と外壁５０との関係は、図１２におけるそれらの関係と同じであるものとする。
【００２４】
図１〜３を参照して、サッシの排水構造１は、建物の外壁５０に形成された開口部下端に設けられたサッシ取付部材１０と、サッシ取付部材１０上に取り付けられたサッシ２０の下枠２１と、下枠２１の下方に位置し、サッシ取付部材１０の屋外側端部に載置された排水プレート３０とを備える。
【００２５】
まず、サッシの排水構造１を構成するサッシ取付部材１０の説明をする。図４は、本発明の実施の形態１におけるサッシの排水構造１において、サッシ２０を取り外して示す斜視図であり、図５は、図４の一部分を拡大して示す斜視図である。
【００２６】
図４、５をさらに参照して、サッシ取付部材１０は、サッシ２０の下枠２１を下方から支持する土台であり、外壁５０の横幅方向に沿って延在している。サッシ取付部材１０は、バルコニー６０の床面６１よりも高い位置に設けられている。つまり、サッシ取付部材１０は、バルコニー６０の床面６１から立ち上がる立上り部を構成している。
【００２７】
本実施の形態では、サッシ取付部材１０は、階段状の段差を有する立上り部１０Ａと、立上り部１０Ａを覆う防水シート１４とを含む。サッシ取付部材１０の立上り部１０Ａは、屋内７０側に位置する上段面１１と、上段面１１よりも下方かつバルコニー６０側に位置し、排水プレート３０が載置される下段面１２と、下段面１２と上段面１１とを連結する立壁面１３とを有している。サッシ取付部材１０の上段面１１上には、サッシ２０が直接載せられている。なお、上段面１１は、防水シート１４上に配置された下地プレート１５の上面であってもよい。上段面１１は、屋内７０の床面７１よりも低い位置に設けられている。
【００２８】
次に、サッシの排水構造１を構成するサッシ２０の説明をする。サッシ２０は、たとえば、アルミ材などにより形成され、略矩形枠形状である。サッシ２０に取り付けられる窓は、たとえば、掃き出し窓である。
【００２９】
サッシ２０の下枠２１は、サッシ取付部材１０の上段面１１上に配置されるサッシ本体部２１１と、サッシ取付部材１０の下段面１２上に配置され、屋外側端部に位置する見切り部２１２とを備える。見切り部２１２は、サッシ取付部材１０の立壁面１３と対向する連結部２１２ａと、連結部２１２ａの下端に連結され、下段面１２に沿ってバルコニー６０側へ延びる突出部２１２ｂと、連結部２１２ａと突出部２１２ｂとを外方から覆う覆い部２１２ｃとを含む。
【００３０】
サッシ２０の連結部２１２ａとサッシ取付部材１０の立壁面１３との間には、左右方向に延びるネジ固定用下地２２が設けられている。サッシ２０の連結部２１２ａは、サッシ取付部材１０にネジ２４で固定されている。突出部２１２ｂは、サッシ取付部材１０の下段面１２の屋外側端縁よりも屋外側へ突出している。
【００３１】
サッシ取付部材１０の左右方向両端部を除く中間部には、サッシ２０の下側端部である突出部２１２ｂと下段面１２との間に、シーリング４０が施されている。サッシ取付部材１０の左右方向両端部においては、下段面１２に載せられた排水プレート３０と、突出部２１２ｂとの間にシーリング４０が施されている。なお、ネジ固定用下地２２とシーリング４０との間には、シーリング下地４１が設けられている。このような構造とすることにより、屋外側からの吹き上がりによる雨水の浸入を防ぐことができる。
【００３２】
図６、７を参照して、排水プレート３０の説明をする。
【００３３】
排水プレート３０は、サッシ取付部材１０の左右方向両端部にそれぞれ配置されている。排水プレート３０は、平面視において左右方向に長い長方形状の板状部材である。排水プレート３０の裏面には、内外方向に貫通する複数の溝部３１が形成されている。具体的には、各溝部３１は、排水プレート３０の長手方向に直交する方向に沿って延在している。複数の溝部３１は、排水プレートの裏面全体に所定間隔で形成されていることが望ましい。排水プレート３０は、たとえば、塩化ビニルで形成されている。
【００３４】
排水プレート３０は、サッシ取付部材１０の下段面１２上に載置される。そのため、排水プレート３０の裏面は、溝部３１が形成された部分を除く凸部においてのみ、サッシ取付部材１０の下段面１２に当接する。排水プレート３０は、ネジ固定用下地２２との間に、隙間２５を有するように固定されている。このような構造とされることにより、図１に示すように、サッシ２１下部に雨水が入ってきたとしても、排水プレート３０の裏面の溝部３１が排水経路となり、効率よく外部に排水することができる。
【００３５】
具体的には、図３に示されるように、サッシ２０内に浸入した雨水は、サッシ取付部材１０の上段面１１を通り、サッシ２０の連結部２１２ａとネジ固定用下地２２との間を通過する。さらに、隙間２５まで到達した雨水は、排水プレート３０の裏面の溝部３１を伝ってバルコニー６０の床面６１に排出される。
【００３６】
なお、より確実に雨水を排水できるようにするためには、図３，４に示すように、排水プレート３０は、サッシ取付部材１０の屋外側端縁よりも屋外方向へ突出していることが望ましい。排水プレート３０は、たとえば、サッシ取付部材１０よりも３〜５ｍｍ程度、屋外方向へ張り出している。この場合でも、排水プレート３０は、サッシ２０の覆い部２１２ｃの位置よりも屋内側に配置されているため、排水プレート３０は、バルコニー６０側から視認できず、意匠性を維持できる。
【００３７】
排水プレート３０は、平板状であるとしたが、これに限定されない。たとえば、排水プレート３０は、サッシ取付部材１０の下段面１２に載置される部分だけでなく、当該部分の屋外側端部より下方に延びる垂下部を有していてもよい。
【００３８】
＜実施の形態２＞
本実施の形態では、排水プレートの他の構成例について説明する。以下に実施の形態１との相違点のみ詳細に説明する。
【００３９】
図８〜１１を参照して、実施の形態２における排水プレート３０Ａについて説明する。なお、本実施の形態では、排水プレート３０Ａの位置には、ネジ固定用下地２２が設けられていない。
【００４０】
排水プレート３０Ａは、断面略Ｌ字形状の板状部材であり、サッシ取付部材１０の下段面１２に当接する横板３２と、横板３２に連結され、サッシ取付部材１０の立壁面１３に当接する縦板３３とを含む。
【００４１】
排水プレート３０Ａの縦板３３は、裏面側に上下方向に貫通する複数の第１溝部３５を有し、排水プレート３０Ａの横板３２は、裏面側に、縦板３３の第１溝部３５にそれぞれつながって、内外方向に貫通する第２溝部３４を有する。つまり、一組の第１溝部３５と第２溝部３４とが、一連の溝として構成されている。第２溝部３４は、実施の形態１の溝部３１に相当している。
【００４２】
排水プレート３０Ａの横板３２は、実施の形態１の排水プレート３０と同様に、サッシ取付部材１０の屋外側端縁よりも屋外方向へ張り出している。排水プレート３０Ａの縦板３３の上端高さは、サッシ取付部材１０の上段面１１の高さ以上であることが望ましい。このような構造とされることにより、サッシ取付部材１０の上段面１１に到達した雨水を効率よく排水プレート３０Ａに伝わせることができる。
【００４３】
排水プレート３０Ａの縦板３３と横板３２とが交わる角部３６は、曲面状に形成されている。排水プレート３０Ａは、防水シート１４と同じ柔らかい材質の塩化ビニルで形成されている。したがって、平板状の塩化ビニルシートをＬ字状に折り曲げると、排水プレート３０Ａの角部３６に自然と丸みがつく。なお、シーリング下地４１は、排水プレート３０Ａの横板３２上であって、縦板３３の裏面に当接するように設けられる。
【００４４】
実施の形態１では、排水プレート３０を施工する際に、ネジ固定用下地２２から隙間２５（図３）を空けて固定する必要があった。これに対し、本実施の形態では、排水プレート３０Ａは、断面略Ｌ字形状に形成されており、サッシ取付部材１０の上段面１１に浸入した水が、縦板３３の溝部３５から横板３２の溝部３４に導かれる。そのため、排水プレート３０Ａをサッシ取付部材１０の立壁面１３に突き当てた状態で固定することができ、排水プレート３０Ａを容易に施工することができる。
【００４５】
さらに、実施の形態１では、ネジ固定用下地２２の上部やシーリング下地４１の上部で雨水が留まるおそれがある。しかし、本実施の形態では、排水プレート３０Ａを用いることで、サッシ取付部材１０の上段面１１から流れてくる雨水を、排水プレート３０Ａの一連の溝（３５，３４）を伝って効率よくバルコニー６０に排水することができる。
【００４６】
また、本実施の形態において、排水プレート３０Ａの角部３６を曲面状に形成することにより、サッシ取付部材１０の立壁面１３と下段面１２との交差部と、排水プレート３０Ａの角部３６との間に隙間３７が形成されるため、鉛直方向からの雨水だけでなく、下段面１２の左右方向中央部から排水プレート３０Ａ側に流れてくる雨水も横板３２の溝部３４により排水することができる。
【００４７】
排水プレート３０Ａは、塩化ビニルで形成されるとしたが、立壁面１３と下段面１２との交差部と、排水プレート３０Ａの角部３６との間に隙間３７ができれば、たとえば、樹脂であってもよく、材料に限定されない。さらに、排水プレート３０Ａの角部３６は、曲面状であるとしたが、隙間３７が形成されれば曲面状に限定されない。
【００４８】
なお、実施の形態１，２における排水プレートには、溝が複数設けられるとしたが、溝は、１本であってもよい。
【００４９】
実施の形態１，２において、排水プレートは、浸水が想定される部分として、サッシ取付部材１０の左右方向両端部に配置されているとしたが、これに限定されない。排水プレートは、たとえば、サッシ取付部材１０の左右方向中間部に設けられてもよい。
【００５０】
実施の形態１，２において、サッシ取付部材１０がバルコニー６０の立上り部を構成しているとして説明したが、これに限定されない。
【００５１】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００５２】
１  サッシの排水構造、２  土台部、１０  サッシ取付部材、１１  上段面、１２  下段面、１３  立壁面、１４  防水シート、１５  サッシ下地プレート、２０  サッシ、２１  下枠、２２  ネジ固定下地、２４  ネジ、２５  隙間、３０  排水プレート、３１  溝部、３２  横板、３３  縦板、３４  第２溝部、３５  第１溝部、３６  角部、３７  隙間、４０  シーリング、４１  シーリング下地、５０  外壁、５１  水切り、６０  バルコニー、６１  床面、７０  屋内、７１  床面、２１１  サッシ本体部、２１２  見切り部、２１２ａ  連結部、２１２ｂ  突出部、２１２ｃ  覆い部。
【図１】
0006453677.tif 000002
【図２】
0006453677.tif 000003
【図３】
0006453677.tif 000004
【図４】
0006453677.tif 000005
【図５】
0006453677.tif 000006
【図６】
0006453677.tif 000007
【図７】
0006453677.tif 000008
【図８】
0006453677.tif 000009
【図９】
0006453677.tif 000010
【図１０】
0006453677.tif 000011
【図１１】
0006453677.tif 000012
【図１２】
0006453677.tif 000013